(57)【要約】【課題】本発明は、定価ラベルのバーコードに織り込まれている価格情報が、本体価格であっても、消費税を含んだ販売価格であっても、その定価ラベルのバーコードをスキャナで読み取っての値下処理が適正に行えるようにする。【解決手段】本発明のバーコード処理装置は、定価ラベルのバーコードに含まれている価格データが消費税を含まない商品の本体価格であっても、本体価格と判別した場合には、設定されている消費税率とから販売価格を算出してから、値下情報に対応して、値下後価格のバーコードラベルを印字発行できるので、ＰＯＳを活用しての値引処理が適正にできる。【選択図】        図２
2005018676.tif 000002
【特許請求の範囲】
【請求項１】
ヒューマン文字による消費税を含んだ販売価格（支払総額）と、機械文字であるバーコードによるフラグで区別された消費税を含んだ販売価格または消費税を含まない本体価格とを表示した定価ラベルに対して、値下後価格のバーコードラベルを印字発行するバーコード処理装置であって、消費税率を設定する税率設定手段と、前記定価ラベルのバーコードデータを読み取る読取手段と、読み取ったバーコードデータから価格が販売価格か本体価格かを判別する価格種類判別手段と、該判別手段により価格の種類が本体価格と判別された場合に前記消費税率に従って消費税額を含んだ販売価格を算出する販売価格算出手段と、値下額もしくは値下率を設定する値引情報設定手段と、前記読取手段により読み取った販売価格または前記販売価格算出手段により算出された販売価格と該情報設定手段により設定された値下額もしくは値下率とから値下後価格を演算する値下後価格演算手段と、該演算手段による値下後価格を含んだバーコードをラベルに印字するラベル印字手段とを備えていることを特徴とするバーコード処理装置。
【発明の詳細な説明】
【０００１】
【発明の属する技術分野】
本発明は、例えば、小売業界で行われる値下販売時に必要となる値下後販売価格のバーコードラベルを印字発行するのに対応したバーコード処理装置に関する。
【０００２】
【従来の技術】
消費税の取り扱いについて、外税にするか内税にするかは自由であるが、多くの場合が外税方式を採用していて、商品に貼付された定価ラベルにおける、ヒューマン文字による価格は本体価格を表しており、また、ＰＯＳ処理のための機械文字であるバーコードに含まれた価格データも本体価格であって、ヒューマン文字で表示されているものと一致しているから、それを用いて何らかの値下処理をしようとしても何の問題も起こらない。
【０００３】
【発明が解決しようとする課題】
商品の価格をあらかじめ表示する場合には、税制改正によって、消費税を含めた支払総額による表示の義務づけが、平成１６年４月１日から適用される。販売価格（消費税を含んだ支払総額）をヒューマン文字による表示したとして、何らかの管理の必要から、ＰＯＳのための機械文字であるバーコードによる価格データを消費税を含まない本体価格としていた場合には、単純には、ＰＯＳを活用しての値下処理ができない。
【０００４】
【課題を解決するための手段】
ヒューマン文字による消費税を含んだ販売価格（支払総額）と、機械文字であるバーコードによるフラグで区別された消費税を含んだ販売価格または消費税を含まない本体価格とを表示した定価ラベルに対して、値引後価格のバーコードラベルを印字発行するバーコード処理装置であって、消費税率を設定する税率設定手段と、前記定価ラベルのバーコードデータを読み取る読取手段と、読み取ったバーコードデータから価格が販売価格か本体価格かを判別する価格種類判別手段と、該判別手段により価格の種類が本体価格と判別された場合に前記消費税率に従って消費税額を含んだ販売価格を算出する販売価格算出手段と、値下額もしくは値下率を設定する値引情報設定手段と、前記読取手段により読み取った販売価格または前記販売価格算出手段により算出された販売価格と該情報設定手段により設定された値下額もしくは値下率とから値引後価格のバーコードデータを演算する値下後価格演算手段と、該演算手段による値下後価格を含んだバーコードをラベルに印字するラベル印字手段とを備えたバーコード処理装置を提供する。
【０００５】
【作用】
このバーコード処理装置は、定価ラベルのバーコードに含まれている価格データが消費税を含まない商品の本体価格であっても、本体価格と判別した場合には、設定されている消費税率とから販売価格を算出してから、値下情報に対応して、値下後価格のバーコードラベルを印字発行できるので、ＰＯＳを活用しての値引処理が適正にできる。
【０００６】
【実施例】
以下、本発明の一実施例を図面に基づいて説明する。
【０００７】
図１はバーコード処理装置のブロック図で、制御部本体を構成するＣＰＵ（中央演算処理装置）１００に、バスライン１１０を介して、プログラムデータ等が格納されたＲＯＭ（リード・オンリ・メモリ）１２１、データ処理のための各種メモリエリアが形成されるＲＡＭ（ランダム・アクセス・メモリ）１２６、各種データを入力するためのキーボード１４１からキー信号が入力されるキーボード制御回路１３１、バーコードデータを入力するためのスキャナ１４２から読取信号が入力されるスキャナ制御回路１３２、入力データ，メモリデータ等を表示するためのディスプレイ１４３を駆動制御するディスプレイ制御回路１３３、バーコード印字用のラベルを移送するためのステップモータ１４４を駆動制御するステップモータ制御回路１３４、ラベルにバーコードとか金額数字等を印字するためのサーマルヘッド１４５を駆動制御するサーマルヘッド制御回路１３５及びラベルの頭出し、移送等をモニタするラベルセンサ１４６からラベル位置信号が入力されるラベルセンサ制御回路１３６の各部が接続されている。
【０００８】
ステップモータ１４４は、図示していないプラテンローラを回転駆動するもので、プラテンローラが、サーマルヘッド１４５とによりラベルを狭時して、印字動作時にラベルを移送する。
【０００９】
サーマルヘッド１４５は、印字動作時に駆動されて、値下後価格のラベルを発行する時には、ラベルに値下後価格のバーコードを含んだ所定の印字を行う。
【００１０】
ラベルセンサ１４６は、多数のラベルを等間隔に仮着した台紙の裏側において等間隔に印刷された帯状のマークを検出する反射式か、抜きラベルの場合におけるラベル間の台紙のみの部分を検出する透過式のもので、その検出出力が、印字動作の開始及び停止制御などの信号として働く。
【００１１】
ディスプレイ１４３は、装置の各操作ステップ状態を示し、スキャナ１４２による読取とか、キーボード１４１による入力を促す。
【００１２】
ＲＯＭ１２１は、メイン処理制御プログラム、読取制御図プログラム及び印字制御プログラムなどのメモリを備えている。
【００１３】
ＲＡＭ１２６は、表示機能メモリ、読取メモリ、消費税率メモリ、フラグ判別メモリ、税込演算メモリ、元価格メモリ、値下種類メモリ、値下演算制御メモリ、演算結果メモリ、値下後価格印字データ生成メモリ及び印字データバッファなどを備えている。
【００１４】
このバーコード処理装置は、出荷時に、ＲＡＭ１２６における消費税率メモリが、その時の消費税率に設定されるもの（変更設定可）で、通常モードにおいて、定価ラベルを印字発行する途中設定で、バーコードによる価格データを「本体価格」にするか、「税込価格」にするかの選択ステップを実行すると、その選択状態が、異なるフラグによって設定される。
【００１５】
また、定価ラベルには、バーコードの外に、消費税を含んだ税込価格が、ヒューマン文字でも印字される。
【００１６】
次に、図２により、値下後価格のバーコードラベルの印字発行動作について説明する。
【００１７】
バーコード処理装置を立ち上げると、ディスプレイ１４３が、定価ラベルのデータを新規に作成するプリント画面か、定価ラベルの登録してあるデータを呼び出す呼出画面かの通常モードになるが、ＳＰ−１（ステップ１）で、例えば、キーボード１４１の中の取り決めされたモード切り替えキーを操作すると、ディスプレイ１４３は、ＳＰ−２のように、値下モードの『スキャン案内画面』になる。
【００１８】
そして、値下対象商品における定価ラベルのバーコードをスキャナ１４２読み取ると、ＳＰ−３で読み取ったバーコードの中の価格の種類が、消費税を含まない本体価格である否かが、一緒に読み込んだフラグの種類によって判断され、否の場合は、ＳＰ−４のように、そのまま消費税を含んだ販売価格として認識記憶される。
【００１９】
一方、本体価格の場合は、ＳＰ−５のように、その時の消費税率からそれを含んだ販売価格が演算記憶される。
【００２０】
ＳＰ−３〜５は内部処理で、次に、ディスプレイ１４３が、ＳＰ−６の『値下情報（種類）の選択画面』になる。
【００２１】
そこで、％引きのキーボード１４２におけるテンキー「１」を押すと、ＳＰ−７に示す２桁までの『％入力画面』になり、他方、円引きの同じようにテンキー「２」を押すと、ＳＰ−８に示す４桁までの『金額入力画面』になり、円引きルートでは、内部処理としてその円引きに論理的な矛盾がないかどうかが、ＳＰ−９で判断される。
【００２２】
次に、ディスプレイ１４２は、ＳＰ−１０による内部処理の販売価格と値下率または値下額とからの値下後価格の値下演算とそれに付帯した演算結果記憶を経て、ＳＰ−１１の『印字発行枚数入力画面』になるが、値下条件がそれよいかどうかの確認ステップを介在させるようにしてもよい。
【００２３】
ＳＰ−１１で、テンキーにより４桁までの印字枚数を入力して、同じくキーボード１４１におけるＥ（エンター）キーを押せば、ＳＰ−１２により、値下後価格のバーコードラベルが印字発行され、ＳＰ−１２とＳＰ−１３とによって設定した印字発行枚数に達するまで繰り返される。この印字データは、値下演算結果に基づいて値下後価格印字データに生成され、それが印字データバッファに一時記憶されていたものである。
【００２４】
また、別の定価ラベルに対する値下処理があれば、ＳＰ−１４からＳＰ−２に戻り、なければ、モード切り替えキーを操作して、通常モードに戻るか、装置の電源を落として完全に終了する。
【００２５】
【発明の効果】
本発明のラベル処理装置は、定価ラベルのバーコードに織り込まれている価格情報が、本体価格であるのか、消費税を含んだ販売価格であるかを判別し、本体価格であった場合には、消費税を含んだ販売価格を算出してから値下処理をして、値下後価格を含んだバーコードラベル印字発行するようにしているので、その値下処理が適切に行え、値下後ラベルが貼付された商品がレジを通過する際に何の支障もなく、顧客との間のトラブルも発生させないものである。
【図面の簡単な説明】
【図１】本発明の一実施例に係るラベル処理装置のブロック図である。
【図２】本発明の一実施例に係る値下処理のフローチャートである。
【符号の説明】
１００・・・ＣＰＵ
１２１・・・ＲＯＭ
１２６・・・ＲＡＭ
１３１・・・キーボード制御回路
１３２・・・スキャナ制御回路
１３３・・・ディスプレイ
１３４・・・ステップモータ制御回路
１３５・・・サーマルヘッド制御回路
１３６・・・ラベルセンサ制御回路
１４１・・・キーボード
１４２・・・スキャナ
１４３・・・ディスプレイ
１４４・・・ステップモータ
１４５・・・サーマルヘッド
１４６・・・ラベルセンサ
【図１】
2005018676.tif 000003
【図２】
2005018676.tif 000004